(57)【要約】【課題】  マルチアクセス方式でも、開錠要求を繰り返し送信しないようにする。【解決手段】  非接触ＩＣカード３に対し、異なる通信規格の質問信号Ａ〜Ｃを順に送信し、ＩＤを含む応答信号を受信するカードリーダ２と、そのカードリーダ２よりＩＤを受信する上位管理装置１とを備え、上位管理装置１は、正当なＩＤを格納する認証データベースと、その正当なＩＤを格納した後、計時によりＨＡＬＴ保持時間を経過した時、そのＩＤを消去させる記憶部とを備え、カードリーダ２よりＩＤを受信した際に、そのＩＤが認証データベースに格納されている場合には記憶部を参照して、その記憶部にＩＤが格納されていない場合には、その記憶部に当該ＩＤを格納すると共に計時を始め、自動ドア４に対して開錠要求を送信する一方、記憶部にＩＤが格納されている場合には、その開錠要求を送信しないようにした。【選択図】  図１
2005208693.tif 000002
【特許請求の範囲】
【請求項１】
固有の識別子を格納してなる応答器と、その応答器に対して複数の異なる通信規格に基づく質問信号を順に送信し、何れかの通信規格の質問信号により前記応答器が送信した識別子を含む応答信号を受信する質問器と、その質問器より前記識別子を受信する上位管理装置と、を備えた非接触ＩＤシステムにおいて、
前記上位管理装置は、正当な識別子を予め格納してなる認証データベースと、その正当な識別子を格納した後、計時により任意の所定時間経過した場合に、当該識別子を消去させる記憶部とを備え、前記質問器より識別子を受信した際に、その識別子が認証データベースに格納されている場合には記憶部を参照して、
その記憶部に当該識別子が格納されていない場合には、その識別子を当該記憶部に格納すると共に計時を始め、さらに負荷に対して動作要求を送信する一方、前記記憶部に当該識別子が格納されている場合には、その動作要求を送信しないことを特徴とする非接触ＩＤシステム。
【請求項２】
固有の識別子を格納してなる応答器と、その応答器に対して所定間隔毎に、複数の異なる通信規格に基づく質問信号を順に送信し、何れかの通信規格の質問信号により前記応答器が送信した識別子を含む応答信号を受信する質問器と、その質問器より前記識別子を受信する上位管理装置と、を備えた非接触ＩＤシステムにおいて、
前記上位管理装置は、正当な識別子を予め格納してなる認証データベースと、その正当な識別子を格納した後、連続して同一の識別子が検出されなくなった場合に計時を開始し、その計時により任意の所定時間経過した場合に、当該識別子を消去させる記憶部とを備え、前記質問器より識別子を受信した際に、その識別子が認証データベースに格納されている場合には記憶部を参照して、
その記憶部に当該識別子が格納されていない場合には、その識別子を当該記憶部に格納すると共に、負荷に対して動作要求を送信する一方、前記記憶部に当該識別子が格納されている場合には、その動作要求を送信しないことを特徴とする非接触ＩＤシステム。
【請求項３】
固有の識別子を格納してなる応答器と、その応答器に対して複数の異なる通信規格に基づく質問信号を順に送信し、何れかの通信規格の質問信号により前記応答器が送信した識別子を含む応答信号を受信する質問器と、その質問器より前記識別子を受信し、その受信した識別子が、正当な識別子を予め格納してなる認証データベースに格納されている場合には、負荷に対して動作要求を送信する上位管理装置と、を備えた非接触ＩＤシステムにおいて、
前記質問器は、前記識別子を格納した後、計時により任意の所定時間経過した場合に、当該識別子を消去させる記憶部を備え、前記応答器より応答信号を受信した際に、その応答信号に含まれる識別子が記憶部に格納されているか判断し、格納されていない場合には、その記憶部に当該識別子を格納すると共に計時を始め、さらに前記上位管理装置に対して当該識別子を送信する一方、格納されている場合には、その送信をしないことを特徴とする非接触ＩＤシステム。
【請求項４】
固有の識別子を格納してなる応答器と、その応答器に対して所定間隔毎に、複数の異なる通信規格に基づく質問信号を順に送信し、何れかの通信規格の質問信号により前記応答器が送信した識別子を含む応答信号を受信する質問器と、その質問器より前記識別子を受信し、その受信した識別子が、正当な識別子を予め格納してなる認証データベースに格納されている場合には、負荷に対して動作要求を送信する上位管理装置と、を備えた非接触ＩＤシステムにおいて、
前記質問器は、前記識別子を格納した後、連続して同一の識別子が検出されなくなった場合に計時を開始し、その計時により任意の所定時間経過した場合に、当該識別子を消去させる記憶部を備え、前記応答器より応答信号を受信した際に、その応答信号に含まれる識別子が記憶部に格納されているか判断し、格納されていない場合には、その記憶部に当該識別子を格納すると共に、前記上位管理装置に対して当該識別子を送信する一方、格納されている場合には、その送信をしないことを特徴とする非接触ＩＤシステム。
【発明の詳細な説明】
【技術分野】
【０００１】
本発明は、固有の識別子を格納してなる応答器と、その識別子を非接触にて読み取る質問器とを備えた非接触ＩＤシステムに関するものであり、例えば、入退室管理、物品管理等に用いられるものである。
【背景技術】
【０００２】
従来から、企業内のセキュリティ管理のために、社員に非接触ＩＣカードを携帯させ、当該企業の施設内への入場の際に、その施設のドア近傍に設けられたカードリーダに対して、前記ＩＣカードを翳させることによって、社員かどうかを判別し、当該ドアの開閉を制御する非接触ＩＤシステムが知られている。このようなシステムとしては、例えば図９の構成図に示すように、入退室管理を行う上位管理装置１と、質問器に相当するカードリーダ２と、応答器に相当する非接触ＩＣカード３と、施設の出入口に設けられる自動ドア４とを備えたものがある。
【０００３】
而して、当該システムの動作を、図１０（ａ）の信号フローを参照して説明すると、上位管理装置１は、カードリーダ２に対して所定間隔毎に質問要求を送信しており、当該カードリーダ２は、その質問要求を受信すると質問信号を送信する。このとき、質問信号の出力圏内に非接触ＩＣカード３が存在していると、当該非接触ＩＣカード３は、質問信号から電磁誘導等により電力を発生させ、識別子（ＩＤ）を含む応答信号を送信する。そして、その応答信号は、カードリーダ２にて読み取られて、応答を検出した旨が上位管理装置１へと返信される。上位管理装置１では、その応答検出に含まれる当該非接触ＩＣカード３の識別子が、自己のデータベースに格納されているかを判別して、格納されている場合には、正当なユーザであると認証して、自動ドア４に対して開錠要求を出力するようになっている。
【０００４】
以上のようにして、開錠処理がなされるが、上位管理装置１からは所定間隔毎に絶えず質問要求が出力され、それに伴って、カードリーダ２も絶えず質問信号を出力している。従って、自動ドア４の開錠後、直ぐにカードリーダ２から非接触ＩＣカード３を遠ざければ良いが、継続して質問信号の出力圏内に存在している場合には、当該非接触ＩＣカード３から、再び応答信号が送信されることとなる。それに伴い、カードリーダ２は、応答を検出した旨を上位管理装置１へと出力し、上位管理装置１は再び認証を行って、自動ドア４に対して再び開錠要求を送信することとなる。すなわち、非接触ＩＣカード３が、カードリーダ２の質問信号の出力圏内に存在している限り、自動ドア４の開錠要求が繰り返されるという問題があった。
【０００５】
この問題を解決するために、一度、応答信号を出力した非接触ＩＣカード３を停止させることが知られている。具体的には、図１０（ｂ）の信号フローに示すように、カードリーダ２が非接触ＩＣカード３の応答信号を受信した後、当該非接触ＩＣカード３に対して、ＨＡＬＴ要求を送信する。そして、その要求を受信した非接触ＩＣカード３は、所定時間その動作を停止するため、再び上位管理装置１から質問要求があっても、応答信号を送信することがなく、例えカードリーダ２の質問信号の出力圏内に当該非接触ＩＣカード３が存在していても、上位管理装置１は自動ドア４に対して、繰り返して開錠要求を送信しないようにすることができる。
【０００６】
このようなシステム構成を採用することにより、繰り返し開錠要求をしないようにすることができたが、近年では、いわゆるマルチアクセス方式のカードリーダが登場してきており、かかるシステムにおいては、上述の構成では、最早対応できないという問題が生じていた。問題点については後述するとして、まず当該マルチアクセス方式について説明すると、当該方式は、一つのカードリーダで複数の通信規格（通信規約）を読み取ることを可能にした方式であって、一つの施設内に、複数の非接触ＩＤシステムが混在するようになってきたことに起因して、通信規格が複数存在する煩雑さを解消するために採用された方式である。
【０００７】
このシステムの動作について説明すると、図１１に示すように、上位管理装置１から質問要求が送信されると、カードリーダ２からは、それぞれ異なる通信規格に基づく質問信号Ａ〜Ｃが順次送信される。非接触ＩＣカード３は、何れかの通信規格を採用しており、何れか対応する質問信号Ａ〜Ｃを読み取った時に、応答信号を送信するようになっている。従って、カードリーダ２が対応する通信規格である限り、どのような通信規格の非接触ＩＣカード３であっても、一つのカードリーダ２で情報を読み取ることが出来るようになっている（例えば、特許文献１、特許文献２参照）。
【特許文献１】特開２００１−１４３０２３
【特許文献２】特開２００１−２８３１６２
【発明の開示】
【発明が解決しようとする課題】
【０００８】
ところで、このシステムでは、上述のように、それぞれの通信規格に対応した質問信号Ａ〜Ｃを出力している。このとき、ある通信規格の非接触ＩＣカード３は、自己が対応する通信規格の質問信号Ａ〜Ｃが送信された場合には、その質問信号から電力を発生させて、応答信号を送信することができる。しかしながら、それ以外の質問信号の場合には、未対応の通信規格の質問信号のため、発電しなかったり、ＯＦＦ状態になったりして、一度リセット状態となる。すなわち、マルチアクセス方式のカードリーダ２で読み取らせようとすると、非接触ＩＣカード３は、一度リセット状態となり、次回の質問信号の受信時に再びＯＮ状態となることから、応答信号を繰り返し送信することとなる。
【０００９】
つまり、単独の通信規格においては、質問信号の受信により略確実に発電し、自己が対応する通信規格の質問信号であることに起因して、ＯＮ状態が保持されるため、一度応答した非接触ＩＣカード３を所定時間停止させることにより、開錠要求が繰り返し送信されるという問題を解決することができた。然るに、マルチアクセス方式においては、非接触ＩＣカード３がリセット状態になるため、応答信号を繰り返し送信してしまい、依然として開錠要求が繰り返し送信されるという問題があった（図１１参照）。
【００１０】
本発明は、上記の問題点に鑑みてなされたものであり、その目的とするところは、マルチアクセス方式のカードリーダを用いても、動作要求（開錠要求）を繰り返し送信しない非接触ＩＤシステムを提供することにある。
【課題を解決するための手段】
【００１１】
上記非接触ＩＤシステムを提供するために、本発明は、固有の識別子を格納してなる応答器と、その応答器に対して複数の異なる通信規格に基づく質問信号を順に送信し、何れかの通信規格の質問信号により前記応答器が送信した識別子を含む応答信号を受信する質問器と、その質問器より前記識別子を受信する上位管理装置と、を備えた非接触ＩＤシステムにおいて、
前記上位管理装置は、正当な識別子を予め格納してなる認証データベースと、その正当な識別子を格納した後、計時により任意の所定時間経過した場合に、当該識別子を消去させる記憶部とを備え、前記質問器より識別子を受信した際に、その識別子が認証データベースに格納されている場合には記憶部を参照して、
その記憶部に当該識別子が格納されていない場合には、その識別子を当該記憶部に格納すると共に計時を始め、さらに負荷に対して動作要求を送信する一方、前記記憶部に当該識別子が格納されている場合には、その動作要求を送信しないことを特徴としたものである。
【発明の効果】
【００１２】
そして、この手段を採用することにより、マルチアクセス方式のカードリーダを用いても、動作要求を繰り返し送信しないという効果を達成し得る。
【発明を実施するための最良の形態】
【００１３】
〔第１の実施の形態〕
次に、上述の解決手段を踏まえ、本発明を実施するにあたって好ましい実施の形態を、図１、図２、図９を参照して説明する。図１は信号フローを示す図、図２はシステム構成を示すブロック図である。まず本実施形態が、従来技術と異なり特徴を有するのは、上位管理装置１にＨＡＬＴ記憶部１３を設け、一度応答した非接触ＩＣカード３の識別子を、当該ＨＡＬＴ記憶部１３に所定時間格納し、その格納がされている間に、再び同一の非接触ＩＣカード３の応答を検出した場合には、負荷である自動ドア４に動作要求（開錠要求）を送信しないようにしたものである。
【００１４】
その主たる動作を説明すると、次のとおりである。図１に示すように、上位管理装置１から質問要求が送信され、カードリーダ２から各通信規格に基づく質問信号Ａ〜Ｃが順次送信されると、何れかの通信規格に基づく非接触ＩＣカード３から、当該カード固有の識別子を含む応答信号が送信される。そして、カードリーダ２は、非接触ＩＣカード３を検出した旨を、当該識別子と共に上位管理装置１へと送信し、当該上位管理装置１では、認証データベース１２に予め格納されている正当な識別子かどうか比較する。ここまでは、従来のシステムの動作と同様であるが、本実施形態における上位管理装置１では、識別子の認証の際、ＨＡＬＴ記憶部１３に、読み取った非接触ＩＣカード３の識別子を格納すると共に計時を開始し、任意に定められたＨＡＬＴ保持時間の間、その識別子の格納を保持する点が異なる。
【００１５】
図１の例では、識別子が正当なものであり、上位管理装置１から、正当なユーザの場合に動作する負荷に対して動作要求が出力される。尚、ここでは自動ドア４を例に挙げており、開錠要求が送信されている。次に、所定時間が経過して再び、上位管理装置１から質問要求が送信されると、同様にして、カードリーダ２からは質問信号Ａ〜Ｃが送信され、非接触ＩＣカード３から応答信号が送信されて、上位管理装置１には、再びカードリーダ２から非接触ＩＣカード３を検出した旨が送信される。このとき、ＨＡＬＴ保持時間が経過していない場合には、ＨＡＬＴ記憶部１３には、以前検出した識別子が格納されているため、上位管理装置１は、当該ＨＡＬＴ記憶部１３に同一の識別子が格納されていることを認識して、自動ドア４に対して開錠要求を送信しないようにしている。
【００１６】
そして、ＨＡＬＴ保持時間が経過すると、ＨＡＬＴ記憶部１３から当該識別子が消去されるので、その後、上位管理装置１から質問要求があった場合には、再びＨＡＬＴ記憶部１３に、当該識別子が格納されてＨＡＬＴ保持時間の計時を始めると共に、自動ドア４に対して開錠要求が送信されるようになっている。このように、一度応答した非接触ＩＣカードの識別子を、記憶部に所定時間格納し、その格納がされている間に、再び同一の非接触ＩＣカードの応答を検出した場合には、負荷に動作要求を送信しないようにしたので、マルチアクセス方式のカードリーダを用いても、動作要求を繰り返し送信しないという効果を達成できる。
【００１７】
本実施形態の要旨は、以上のとおりであるが、より具体的な構成について、図２を参照して詳細に説明することとする。図２は、本実施形態の各部の具体的なブロック図である。まず、上位管理装置１は、カードリーダ２の制御や、同カードリーダ２にて読み取られた、非接触ＩＣカード３の識別子を認証するための装置である。而してその構成は、同図に示すように、上位管理装置内の各部を統括する制御部１０と、カードリーダ２とシリアル通信等により信号の送受信を行う送受信部１１と、予め正当な非接触ＩＣカード３の識別子を格納する認証データベース１２と、一度読み取った非接触ＩＣカードの識別子を、任意の所定時間（ＨＡＬＴ時間）保持するＨＡＬＴ記憶部１３とを備えており、制御部１０には、各部１１〜１３がそれぞれ接続されている。尚、ＨＡＬＴ記憶部１３は、認証データベース１２内で、応答を検出した非接触ＩＣカード３に対応するフラグ（ビット）を立てる等して、代替しても良いものである。
【００１８】
カードリーダ２は、非接触ＩＣカード３に質問信号を送信して、非接触ＩＣカード３の応答信号を受信し、その応答信号に含まれる当該カードの識別子と共に、カードを検出した旨の応答検出を上位管理装置１へと送信する質問器である。その構成は、同図に示すように、上位管理装置１とシリアル通信等により信号の送受信を行う送受信部２０と、上位管理装置の質問要求に対応した通信規格の信号処理回路２２０〜２４０を制御する制御部２１と、当該各信号処理回路２２０〜２４０から出力される信号の有無によって出力を切り替える信号切替部２５と、その信号を送信パワーまで増幅するＲＦ増幅部２６と、その増幅された信号を送信するためのアンテナ２７を備えている。
【００１９】
尚、アンテナ２７は、当該信号等の送受信ができるものであれば特に限定する趣旨ではないが、例えばループアンテナが用いられる。また、増幅部２６は、アンテナ２７で受信した非接触ＩＣカード３の応答信号を含む搬送波も増幅し、信号切替部２５を介して、各信号処理部２２０〜２４０へと送信する。信号処理部２２０〜２４０は、制御部２１からの制御信号に基づいて、各々の通信規格による質問信号の作成や、応答信号から識別子を取得する信号処理回路２２１〜２４１と、搬送波を当該質問信号にて変調して信号切替部２５への出力したり、アンテナ２７で受信した搬送波から応答信号を復調して、信号処理回路２２１〜２４１へと出力する変復調回路２２２〜２４２とを備えている。
【００２０】
非接触ＩＣカード３は、カードリーダ２から送信される質問信号を受けて、自己の識別子を含む応答信号を返信する応答器である。その構成は、同図に示すように、カードリーダ２から送信された質問信号（を含む搬送波）を受信するためのアンテナ３０と、そのアンテナで受信した搬送波から電磁誘導等により電力を発生させる電源生成部３１と、当該搬送波を復調する一方、搬送波を応答信号にて変調する変復調部３２と、質問信号を識別したり、固有の識別子が格納された記憶部３４より、自己の識別子を参照して応答信号を作成する制御部３３とを備えている。尚、アンテナ３０は、アンテナ２７と同様にして、信号の送受信ができるものであれば良く、例えばループアンテナが用いられる。また、電源生成部３１は、カードリーダ２から送信される搬送波により発電できるものであれば良く、電磁誘導に限定する趣旨ではない。
【００２１】
自動ドア４は、上位管理装置１により、正当なユーザであるとの認証ができた場合に動作する負荷であり、その構成は、当該上位管理装置１とシリアル通信等により信号の送受信を行う送受信部４０と、上位管理装置１からの動作要求（開錠要求）に従って、負荷であるドアを駆動させる駆動部４２を制御する制御部４１とを備えている。尚、正当なユーザであると認証ができた場合に動作するものであれば良く、自動ドアに限定する趣旨ではない。
【００２２】
次に、以上の構成を踏まえて、図１、２を参照して、本実施形態の動作について詳細に説明する。まず、上位管理装置１の制御部１０は、所定時間毎に送受信部１１を介して、カードリーダ２に対し質問要求を送信しており、カードリーダ２の送受信部２０は、その質問要求を自己の制御部２１へと出力する。次に、上位管理装置１から質問要求を受けたカードリーダ２の制御部２１では、当該質問要求を受けると順番に信号処理部２２０〜２４０を起動して、各通信規格に基づく質問信号を出力させる。尚、図１の例では、上位管理装置１から一つの質問要求が出力されて、カードリーダ２により複数の質問信号が送信されているが、上位管理装置１から各々の通信規格の質問要求を送信できるようにしても良い。この場合、制御部２１では上位管理装置１からの質問要求がどの通信規格に基づくものであるかを判断して、該当する信号処理部２２０〜２４０を起動させることになる。
【００２３】
質問信号の出力までの動作を説明すると、まず制御部２１より各信号処理回路２２１〜２４１に対して起動制御信号が送信され、その信号を受けた各信号処理回路２２１〜２４１は、それぞれ自己の通信フォーマットによる質問信号を作成し、変復調回路２２２〜２４２へと出力する。変復調回路２２２〜２４２では、受信した質問信号により搬送波を変調して信号切替部２５を介してＲＦ増幅部２６へと出力し、当該ＲＦ増幅部２６では、搬送波を送信パワーまで増幅して、アンテナ２７から送信するようになっている。
【００２４】
そして、当該質問信号を含む搬送波をアンテナ３０により受信した非接触ＩＣカード３は、電源生成部３１により当該搬送波から電力を発電して、変復調部３２、制御部３３、記憶部３４へと電力を供給する。一方、変復調部３２では、アンテナ３０にて受信した搬送波を復調して質問信号を抽出し制御部３３へと出力する。当該制御部３３では、カードリーダ２からの質問信号であることを認識すると、記憶部３４を参照して自己の識別子を取得し、その識別子を含む応答信号を作成する。また、その応答信号を変復調部３２へと出力して、当該変復調部３２では、その応答信号にて搬送波を変調してアンテナ３０を介して、当該応答信号を含む搬送波を送信する。
【００２５】
次に、その搬送波はカードリーダ２のアンテナ２７にて受信され、ＲＦ増幅部２６により所定パワーまで増幅され、フィルタリング処理がなされると、ある信号処理回路２２０〜２４０の質問信号の出力により、信号切替部２５はその信号処理回路２２０〜２４０と接続されているので、受信された搬送波は対応する信号処理回路２２０〜２４０へと出力される。尚、図１の例では、質問信号Ｃに対応する信号処理回路２２０〜２４０へと出力されることになる。ここでは一例として、当該質問信号Ｃに対応する回路を信号処理回路２２０とすると、搬送波は変復調回路２２２にて復調されて応答信号が抽出され、信号処理回路２２１へと出力される。
【００２６】
当該信号処理回路２２１では、応答信号からその非接触ＩＣカード３の識別子を抽出して制御部２１へと出力し、当該制御部２１では、その識別子を含む応答検出信号を作成して、送受信部２０を介して上位管理装置１へと送信する。上位管理装置１の制御部１０では、その応答検出信号を、送受信部１１を介して受信すると、その応答検出信号に含まれる非接触ＩＣカード３の識別子を抽出し、認証データベース１２を参照して、正当なユーザであるか認証を行い、正当なユーザである場合には、制御部１０が抽出した識別子がＨＡＬＴ記憶部１３に格納されているかどうか比較して、図の例のように格納されていない場合には、同記憶部へ格納すると共に計時を開始する。また、制御部１０では、送受信部１１を介して自動ドア４に動作要求（開錠要求）を出力し、その要求を送受信部４０を介して受信した自動ドア４の制御部４１は、駆動部４２に駆動制御信号を出力して、ドアの開閉をするようになっている。
【００２７】
次に、所定時間が経過して再び、上位管理装置１から質問要求が送信されると、同様にして、カードリーダ２からは質問信号Ａ〜Ｃが送信され、非接触ＩＣカード３から応答信号が出力されて、上位管理装置１には、再びカードリーダ２から非接触ＩＣカード３の応答検出信号が送信される。このとき、ＨＡＬＴ保持時間が経過していない場合には、ＨＡＬＴ記憶部１３に、ＨＡＬＴ中の非接触ＩＣカード３の識別子が格納されていることになるので、上位管理装置１の制御部１０は、カードリーダ２から受信した識別子と、そのＨＡＬＴ記憶部１３に格納されている識別子を比較して、一致する場合には、ＨＡＬＴ対象の非接触ＩＣカード３である識別して、自動ドア４に対して開錠要求を行わない。
【００２８】
一方、一致しない場合には別の識別子であると判断し、また同一の識別子であっても、ＨＡＬＴ保持時間が経過した場合、ＨＡＬＴ記憶部１３から当該識別子が消去されるので、何れの場合も、ＨＡＬＴ記憶部１３に、当該識別子が格納されてＨＡＬＴ保持時間の計時が始められると共に、自動ドア４に対して開錠要求が送信されることとなる。尚、ＨＡＬＴ保持時間は、それぞれの識別子、すなわち各々の非接触ＩＣカード３毎に計時がなされることとなる。
【００２９】
〔第２の実施の形態〕
本願の発明者らは、上述の実施形態において、マルチアクセス方式においても、動作要求を繰り返し送信しない非接触ＩＤシステムを提供することができた。しかしながら、ＨＡＬＴ保持時間は有限であるため、当該時間を経過してもなお、非接触ＩＣカードを翳し続けた場合には、当該ＨＡＬＴ保持時間経過毎に、動作要求が繰り返し送信されるという問題がある。そこで、本願発明者らは、一度応答した非接触ＩＣカード３の識別子を、ＨＡＬＴ記憶部１３に格納し、その記憶部を参照して、同一の識別子が連続して読み取られていると判断された場合には、負荷である自動ドア４に動作要求（開錠要求）を送信しないようにし、その識別子が読み取られなくなったと判断されてから、所定時間その識別子が読み取られなかった場合に、その識別子を当該記憶部より削除するようにしたものである。
【００３０】
而して、図２、図３を参照して、本実施形態の主たる動作を説明すると、次のとおりである。まず、図３に示すように、第１の実施形態と同様にして、上位管理装置１から質問要求が送信されると、カードリーダ２から質問信号Ａ〜Ｃが順次送信され、非接触ＩＣカード３から応答信号が送信される。カードリーダ２は、非接触ＩＣカード３を検出した旨を、上位管理装置１へと送信し、当該上位管理装置１では、正当な識別子かどうか比較して、ＨＡＬＴ記憶部１３に読み取った非接触ＩＣカード３の識別子を格納する。ここでも、一例として、識別子は正当なものであり、上位管理装置１から、自動ドア４に対して開錠要求が出力される。
【００３１】
次に、所定時間が経過して再び、上位管理装置１から質問要求が送信されると、同様にして、上位管理装置１は、カードリーダ２から、再び非接触ＩＣカード３を検出した旨を受信する。このとき、上位管理装置１は、ＨＡＬＴ記憶部１３を参照して、当該記憶部に一致する識別子があることを認識した場合には、自動ドア４に対して開錠要求を送信しない。次に、所定時間が経過してまた上位管理装置１から質問要求が送信され、非接触ＩＣカード３からの応答を検出した時に、再び識別子が一致する場合には、同様にして自動ドア４に対して開錠要求を送信しない。このように、連続して、同一の非接触ＩＣカード３からの応答が検出された場合には、そのカードがカードリーダ２に翳されている限り、自動ドア４に対して新たに開錠要求が送信されないようになっている。
【００３２】
尚、図４に示すように、非接触ＩＣカード３がカードリーダ２から離され、同一の非接触ＩＣカード３の応答検出をしなかった場合、当該上位管理装置１は計時を始め、任意に定めたＨＡＬＴ保持時間を経過した場合には、ＨＡＬＴ記憶部１３より、その識別子を消去するようになっている。一方、このＨＡＬＴ保持時間中に、再び応答が検出された場合には計時を中止する。この場合、再びその応答が検出されなくなるまで、当該ＨＡＬＴ記憶部１３には、その識別子が格納されたままになるので、自動ドアに対して新たな開錠要求が送信されないようになっている。
【００３３】
このように、一度応答した非接触ＩＣカードの識別子を記憶部に格納し、連続して同一の非接触ＩＣカードの応答を検出した場合には、その間は負荷に動作要求を送信しないようにし、応答を検出しなくなった場合には、その未検出時より計時を始めて、ＨＡＬＴ保持時間を経過した場合に、当該記憶部よりその識別子を削除するようにしたので、長時間に渡って非接触ＩＣカードがカードリーダに翳された場合であっても、動作要求を繰り返し送信しないという効果を達成できる。尚、主たる動作以外の動作並びにその構成は、第１の実施形態と同様であるから、ここではその説明を省略することとする。
【００３４】
〔第３の実施の形態〕
次に、別の実施形態について、図５、図６を参照して説明する。尚、第１の実施形態と同様の部分については、同一の符号を付して説明を省略することとする。本実施形態が第１の実施形態と異なり特徴を有するのは、上位管理装置１に設けられていたＨＡＬＴ記憶部をカードリーダ２に設け、一度応答した非接触ＩＣカード３の識別子を、ＨＡＬＴ記憶部２８に所定時間格納し、その格納がされている間に、再び同一の非接触ＩＣカード３の応答を検出した場合には、上位管理装置１に対して応答を検出した旨を送信しないようにしたものである。つまり、間接的に負荷である自動ドア４に動作要求（開錠要求）を送信しないようにしたものである。
【００３５】
而してその構成は、図５に示すように、カードリーダ２に、制御部２１と接続されたＨＡＬＴ記憶部２８を備えたものであり、それ以外の構成については第１の実施形態と同様である。次に、その主たる動作を説明すると、図６に示すとおりである。まず、第１の実施形態と同様にして、上位管理装置１から質問要求が送信されると、カードリーダ２から質問信号Ａ〜Ｃが順次送信され、非接触ＩＣカード３から応答信号が送信される。ここまでは、従来技術ないし第１の実施形態と同様であるが、本実施形態におけるカードリーダ２では、当該応答信号を受信すると、ＨＡＬＴ記憶部２８に、読み取った非接触ＩＣカード３の識別子を格納すると共に、計時の開始と上位管理装置１に対して応答を検出した旨を送信し、任意に定められたＨＡＬＴ保持時間の間、その識別子の格納を保持する点が異なる。
【００３６】
より正確に言うと、制御部２１は、何れかの信号処理部２２０〜２４０より、非接触ＩＣカード３の識別子を受信すると、その識別子がＨＡＬＴ記憶部２８に格納されていないか同記憶部を参照し、格納されていない場合には、その識別子を格納しつつ計時を開始する。また、その格納がなされていないので、制御部２１は、連続して翳された非接触ＩＣカード３ではないと判断して、送受信回路２０を介して、上位管理装置１に対して、当該非接触ＩＣカード３を検出した旨を送信することとなる。そして、当該上位管理装置１では、正当な識別子かどうか比較することとなるが、ここでも一例として、識別子は正当なものであり、上位管理装置１から、自動ドア４に対して開錠要求が出力される。
【００３７】
次に、所定時間が経過して再び、上位管理装置１から質問要求が送信されると、同様にして、カードリーダ２からは質問信号Ａ〜Ｃが送信され、非接触ＩＣカード３から応答信号が出力されて、カードリーダ２は、再び非接触ＩＣカード３を検出する。このとき、ＨＡＬＴ保持時間が経過していない場合には、ＨＡＬＴ記憶部２８には、以前検出した識別子が格納されているため、カードリーダ２は、当該ＨＡＬＴ記憶部２８に同一の識別子が格納されていることを認識して、上位管理装置１に対して非接触ＩＣカード３を検出した旨を送信しないようにしている。
【００３８】
そして、ＨＡＬＴ保持時間が経過すると、ＨＡＬＴ記憶部２８から当該識別子が消去されるので、その後、上位管理装置１から質問要求があった場合には、再びＨＡＬＴ記憶部２８に、当該識別子が格納されてＨＡＬＴ保持時間の計時が始められると共に、上位管理装置１に対して応答を検出した旨を送信するようになっている。このように、本実施形態においても、一度応答した非接触ＩＣカードの識別子を、記憶部に所定時間格納し、その格納がされている間に、再び同一の非接触ＩＣカードの応答を検出した場合には、上位管理装置へ当該カードの検出した旨の送信をしない。これにより、上位管理装置は負荷に動作要求を送信することがないので、マルチアクセス方式のカードリーダを用いても、動作要求を繰り返し送信しないという効果と共に、上位管理装置に対して無駄な通信がされることがないので、送信の効率化が図れるという効果を達成できる。
【００３９】
〔第４の実施の形態〕
次に、別の実施形態について、図５、図７、図８を参照して説明する。尚、第１、第３の実施形態と同様の部分については、同一符号を付す等して説明を省略することとする。本実施形態は、第３の実施形態と同様にして、カードリーダ２にＨＡＬＴ記憶部２８を設けたものであり、その動作は第２の実施形態に対応するものである。つまり、一度応答した非接触ＩＣカード３の識別子をＨＡＬＴ記憶部２８に格納し、その記憶部を参照して、同一の識別子が連続して読み取られていると判断された場合には、上位管理装置１に非接触ＩＣカード３を検出した旨を送信しないようにし、その識別子が読み取られなくなったと判断されてから、所定時間その識別子が読み取られなかった場合に、その識別子を当該記憶部より削除するようにしたものである。
【００４０】
而して、図７を参照して、本実施形態の主たる動作を説明すると、次のとおりである。まず、第３の実施形態と同様にして、上位管理装置１から質問要求が送信されると、カードリーダ２から質問信号Ａ〜Ｃが順次送信され、非接触ＩＣカード３から応答信号が送信される。カードリーダ２では、当該応答信号を受信すると、ＨＡＬＴ記憶部２８に読み取った非接触ＩＣカード３の識別子を格納すると共に、計時の開始と上位管理装置１に対して応答を検出した旨を送信し、任意に定められたＨＡＬＴ保持時間の間、その識別子の格納を保持する。そして、当該上位管理装置１では、正当な識別子かどうか比較することとなるが、ここでも一例として、識別子は正当なものであり、上位管理装置１から、自動ドア４に対して開錠要求が出力される。
【００４１】
次に、所定時間が経過して再び、上位管理装置１から質問要求が送信されると、同様にして、カードリーダ２からは質問信号Ａ〜Ｃが送信され、非接触ＩＣカード３から応答信号が出力されて、カードリーダ２は、再び非接触ＩＣカード３を検出する。このとき、カードリーダ２は、ＨＡＬＴ記憶部２８を参照して、当該記憶部に一致する識別子があることを認識した場合には、上位管理装置１に対して非接触ＩＣカード３を検出した旨を送信しない。次に、所定時間が経過してまた上位管理装置１から質問要求が送信され、非接触ＩＣカード３から応答信号を検出した時に、再び識別子が一致する場合には、同様にして上位管理装置１に対して応答の検出を送信しない。このように、連続して、同一の非接触ＩＣカード３からの応答が検出された場合には、そのカードがカードリーダ２に翳されている限り、上位管理装置１に対して、新たに非接触ＩＣカード３の応答を検出した旨が送信されないようになっている。
【００４２】
尚、図８に示すように、非接触ＩＣカード３がカードリーダ２から離され、同一の非接触ＩＣカード３の応答信号の検出をしなかった場合、カードリーダ２は計時を始め、任意に定めたＨＡＬＴ保持時間を経過した場合には、ＨＡＬＴ記憶部２８より、その識別子を消去するようになっている。一方、このＨＡＬＴ保持時間中に、再び応答が検出された場合には計時を中止する。この場合、再びその応答が検出されなくなるまで、当該ＨＡＬＴ記憶部２８には、その識別子が格納されたままになるので、上位管理装置に対して新たな応答検出を送信しないようになっている。
【００４３】
このように、一度応答した非接触ＩＣカードの識別子を記憶部に格納し、連続して同一の非接触ＩＣカードの応答を検出した場合には、その間は負荷に動作要求を送信しないようにし、応答を検出しなくなった場合には、その未検出時より計時を始めて、ＨＡＬＴ保持時間を経過した場合に、当該記憶部よりその識別子を削除するようにしたので、長時間に渡って非接触ＩＣカードがカードリーダに翳された場合であっても、上位管理装置へ当該カードの検出した旨の送信をしない。これにより、上位管理装置は負荷に動作要求を送信することがないので、マルチアクセス方式のカードリーダを用いても、動作要求を繰り返し送信しないという効果と共に、上位管理装置に対して無駄な通信がされることがないので、送信の効率化が図れるという効果を達成できる。
【図面の簡単な説明】
【００４４】
【図１】第１の実施形態における信号フローを示す図である。
【図２】第１の実施形態におけるシステムの構成を示すブロック図である。
【図３】第２の実施形態における信号フローを示す図であって、同一の非接触ＩＣカードが読み取られた場合を示す図である。
【図４】第２の実施形態における信号フローを示す図であって、同一の非接触ＩＣカードが読み取られなくなった場合を示す図である。
【図５】第３の実施形態におけるシステムの構成を示すブロック図である。
【図６】第３の実施形態における信号フローを示す図である。
【図７】第４の実施形態における信号フローを示す図であって、同一の非接触ＩＣカードが同一の非接触ＩＣカードが読み取られた場合を示す図である。
【図８】第４の実施形態における信号フローを示す図であって、同一の非接触ＩＣカードが読み取られなくなった場合を示す図である。
【図９】非接触ＩＤシステムを自動ドアに適用した場合を示す図である。
【図１０】非接触ＩＤシステムを自動ドアに適用した場合の信号フローを示す図であり、（ａ）は同一の非接触ＩＣカードが同一の非接触ＩＣカードが読み取られた場合を示す図であり、（ｂ）はその場合に当該カードの応答を停止させる状況を示す図である。
【図１１】非接触ＩＤシステムを自動ドアに適用した場合の信号フローを示す図であって、マルチアクセス方式のフローを示す図である。
【符号の説明】
【００４５】
１    上位管理装置
１２  認証データベース
１３  ＨＡＬＴ記憶部  （記憶部）
２    カードリーダ    （質問器）
２８  ＨＡＬＴ記憶部  （記憶部）
３    非接触ＩＣカード（応答器）
４    自動ドア        （負荷）
【図１】
2005208693.tif 000003
【図２】
2005208693.tif 000004
【図３】
2005208693.tif 000005
【図４】
2005208693.tif 000006
【図５】
2005208693.tif 000007
【図６】
2005208693.tif 000008
【図７】
2005208693.tif 000009
【図８】
2005208693.tif 000010
【図９】
2005208693.tif 000011
【図１０】
2005208693.tif 000012
【図１１】
2005208693.tif 000013
【手続補正書】
【提出日】平成16年1月26日(2004.1.26)
【手続補正１】
【補正対象書類名】特許請求の範囲
【補正対象項目名】請求項１
【補正方法】変更
【補正の内容】
【請求項１】
固有の識別子を格納してなる応答器と、その応答器に対して複数の異なる通信規格に基づく質問信号を順に送信し、何れかの通信規格の質問信号により前記応答器が送信した識別子を含む応答信号を受信する質問器と、予め正当な識別子を格納してなる認証データベースを具備し、前記質問器より識別子を受信して、その受信した識別子が当該認証データベースに格納されているか比較する上位管理装置と、その上位管理装置の動作要求に従って動作する負荷と、を備えた非接触ＩＤシステムにおいて、
前記上位管理装置は、正当な識別子を格納した後、計時により任意の所定時間経過した場合に、当該識別子を消去させる記憶部を備え、前記質問器より識別子を受信した際に、その識別子が認証データベースに格納されている場合には記憶部を参照して、その記憶部に当該識別子が格納されていない場合には、その識別子を当該記憶部に格納すると共に計時を始め、さらに前記負荷に対して動作要求を送信する一方、前記記憶部に当該識別子が格納されている場合には、その動作要求を送信しないことを特徴とする非接触ＩＤシステム。
【手続補正２】
【補正対象書類名】特許請求の範囲
【補正対象項目名】請求項２
【補正方法】変更
【補正の内容】
【請求項２】
固有の識別子を格納してなる応答器と、その応答器に対して所定間隔毎に、複数の異なる通信規格に基づく質問信号を順に送信し、何れかの通信規格の質問信号により前記応答器が送信した識別子を含む応答信号を受信する質問器と、予め正当な識別子を格納してなる認証データベースを具備し、前記質問器より識別子を受信して、その受信した識別子が当該認証データベースに格納されているか比較する上位管理装置と、その上位管理装置の動作要求に従って動作する負荷と、を備えた非接触ＩＤシステムにおいて、
前記上位管理装置は、正当な識別子を格納した後、連続して同一の識別子が検出されなくなった場合に計時を開始し、その計時により任意の所定時間経過した場合に、当該識別子を消去させる記憶部を備え、前記質問器より識別子を受信した際に、その識別子が認証データベースに格納されている場合には記憶部を参照して、その記憶部に当該識別子が格納されていない場合には、その識別子を当該記憶部に格納すると共に、前記負荷に対して動作要求を送信する一方、前記記憶部に当該識別子が格納されている場合には、その動作要求を送信しないことを特徴とする非接触ＩＤシステム。
【手続補正３】
【補正対象書類名】明細書
【補正対象項目名】００１１
【補正方法】変更
【補正の内容】
【００１１】
上記非接触ＩＤシステムを提供するために、本発明は、固有の識別子を格納してなる応答器と、その応答器に対して複数の異なる通信規格に基づく質問信号を順に送信し、何れかの通信規格の質問信号により前記応答器が送信した識別子を含む応答信号を受信する質問器と、予め正当な識別子を格納してなる認証データベースを具備し、前記質問器より識別子を受信して、その受信した識別子が当該認証データベースに格納されているか比較する上位管理装置と、その上位管理装置の動作要求に従って動作する負荷と、を備えた非接触ＩＤシステムにおいて、
前記上位管理装置は、正当な識別子を格納した後、計時により任意の所定時間経過した場合に、当該識別子を消去させる記憶部を備え、前記質問器より識別子を受信した際に、その識別子が認証データベースに格納されている場合には記憶部を参照して、その記憶部に当該識別子が格納されていない場合には、その識別子を当該記憶部に格納すると共に計時を始め、さらに前記負荷に対して動作要求を送信する一方、前記記憶部に当該識別子が格納されている場合には、その動作要求を送信しないことを特徴としたものである。
【手続補正４】
【補正対象書類名】図面
【補正対象項目名】図４
【補正方法】変更
【補正の内容】
【図４】
2005208693.tif 000014
【手続補正５】
【補正対象書類名】図面
【補正対象項目名】図８
【補正方法】変更
【補正の内容】
【図８】
2005208693.tif 000015